(57)【要約】【課題】ＢＪプリンタ用オンキャリッジスキャナ使用時のヘッド擦れ防止する記録装置の提供。【解決手段】紙間ポジションを広く設定した時にスキャナに対して正規の紙間になるように配置する。【選択図】　　　　図１
2004142193.tif 000002
【特許請求の範囲】
【請求項１】
記録媒体にインクを吐出することにより該記録媒体上に画像を形成して記録を行う記録手段を有し、該記録手段と一体に支持され、原稿上の画像を読み取る読み取り手段を有し、前記記録媒体または前記原稿を搬送する搬送手段を有する記録装置において、
記録手段と記録媒体との間隔を変化させて２種類の間隔を選択可能な紙間調整機構を有し、該紙間調整機構によって選択可能な最小の間隔である第一の間隔と、第一の間隔より大きな第二の間隔のうち、第二の間隔を選択したときに、読み取り手段と原稿との間隔が、適切な読み取り間隔の範囲内となるよう配置したことを特徴とする記録装置。
【請求項２】
記録媒体にインクを吐出することにより該記録媒体上に画像を形成して記録を行う記録手段を有し、該記録手段と一体に支持され、原稿上の画像を読み取る読み取り手段を有し、前記記録媒体または前記原稿を搬送する搬送手段を有する記録装置において、
記録手段と記録媒体との間隔を変化させて少なくとも２種類の間隔を選択可能な紙間調整機構を有し、該紙間調整機構によって選択可能な最小の間隔である第一の間隔と、第一の間隔より大きな第二もしくはそれ以降の間隔のうち、第二もしくはそれ以降の間隔を選択したときに、読み取り手段と原稿との間隔が、適切な読み取り間隔の範囲内となるよう配置したことを特徴とする記録装置。
【請求項３】
前記記録手段は、前記第一の間隔の時、インク吐出面が前記記録媒体に平行であり、前記読み取り手段の焦点面が前記第二の間隔の時に前記原稿面に略平行となるよう配置したことを特徴とする、請求項１記載の記録装置。
【請求項４】
前記記録手段は、前記第一の間隔の時、インク吐出面が前記記録媒体に平行であり、前記読み取り手段の焦点面が前記第二、もしくはそれ以降の間隔の時に前記原稿面に略平行となるよう配置したことを特徴とする、請求項２記載の記録装置。
【請求項５】
前記記録手段は、熱エネルギーを利用してインクを吐出するインクジェット記録手段であることを特徴とする、請求項１ないし４いずれか記載の記録装置。
【発明の詳細な説明】
【０００１】
【発明の属する技術分野】
本発明は、記録媒体に画像を記録する記録ヘッドと、該記録ヘッドと一体に移動可能な画像読み取り装置を有する記録装置に関するものである。
【０００２】
【従来の技術】
図４は従来の記録装置の概略の構成を示す斜視図である。
【０００３】
記録装置１は給紙部２、送紙部３、排紙部４、キャリッジ部５、などから構成されている。
【０００４】
給紙部２は未記録の記録媒体（図示せず）を積載し、給紙ローラ２１によって記録媒体を１枚ずつ分離して送紙部３に供給する。
【０００５】
送紙部３は送紙ローラ３１、ピンチローラ３２、プラテン３３などから構成され、給紙部２より送り込まれた記録媒体を送紙ローラ３１とピンチローラ３２によって挟持してプラテン３３上を通過させ、排紙部４に送り込む。また、プラテン３３は記録媒体を支持して平面状に保ち、キャリッジ部５に搭載された記録ヘッド６のインク吐出面に記録媒体を正対させる機能を有する。
【０００６】
排紙部４は送紙部３から送り込まれた記録媒体を記録装置１の外部へと排出する。
【０００７】
キャリッジ部５は記録ヘッド６を搭載し、プラテン３３に支持された記録媒体上を往復運動により走査する。このとき、キャリッジ部５は記録ヘッド６のインク吐出面と記録媒体との間隔（紙間）が適切になるように記録ヘッド６を支持する。
【０００８】
適切な紙間は使用する記録媒体の種類などによって異なるので、紙間調整レバー５１が設けられていて紙間を変化させることが可能になっており、例えば記録媒体として厚い紙や波打ったような変形を起こしやすい紙を使用する場合、紙間を広くして記録ヘッド６と記録媒体が接触しないようにすることで、記録媒体の汚染や記録ヘッド６の破損を防止することができる。
【０００９】
記録ヘッド６はインク吐出面に設けられたノズルよりインクを吐出する機能を有し、吐出したインク滴を記録媒体上に付着させる。
【００１０】
以上の構成から、キャリッジ部５による主走査、および送紙部４が記録媒体を送ることによる副走査によって、記録媒体上に形成される面（記録領域）上を記録ヘッド６が走査しながら、適切なタイミングでインクを吐出する事によって記録領域に画像を形成する。
【００１１】
以上の構成に加え、キャリッジ部５上に画像読み取り部（以下「スキャナ」）を取り付け可能な記録装置が存在する。この取り付けの方法として、記録ヘッドと交換でスキャナを取り付ける物、記録ヘッドとスキャナを同時にキャリッジ上に取り付け可能な物などがある。
【００１２】
スキャナを使用する場合、キャリッジ部５による主走査と、給紙部２、送紙部３などによる副走査により、記録媒体の代わりに原稿をプラテン上に送り、原稿面上をスキャナ部で走査して読みとることが可能である。
【００１３】
このとき、原稿を給紙部２に直接セットするのではなく、スキャニングシートに挟んでセットすることが推奨されている。スキャニングシートは、２枚のシート状の樹脂薄板を一部接合し、間に原稿をはさむことが可能な構成であり、少なくとも１枚のシートは透明であって、挟んだ原稿上の画像が透視できる。これにより、原稿を傷つけることなく、また、原稿のしわなどに影響されることなく装置内を通過させることができる。
【００１４】
【発明が解決しようとする課題】
以上に述べた従来の記録装置のうち、キャリッジ上に同時に記録ヘッドとスキャナを取り付け可能な構成の記録装置の場合、記録ヘッド６が記録媒体に記録を行うのに適切な紙間と、スキャナが原稿を読み取るのに適切な紙間の双方を満足するよう、取り付け位置を決定する必要がある。
【００１５】
図５はキャリッジに搭載した状態での記録ヘッドとスキャナの位置関係を示しており、記録ヘッドが記録媒体に記録を行うのに適切な紙間をＨ、スキャナが原稿を読み取るのに適切な紙間をＳで示している。一般に紙間Ｈは紙間Ｓより狭いので、記録ヘッド先端はスキャナ先端より常に記録媒体や読み取り原稿に近い位置に取り付けられることになる。
【００１６】
ところが、スキャナ使用時は、スキャニングシートなどを通紙するため、記録媒体を通紙する場合よりも原稿の浮きが起こりやすくなる。したがって記録ヘッドに原稿が接触するおそれがあった。
【００１７】
本発明では、原稿やスキャニングシートが記録ヘッドに接触する危険性を低減させ、記録ヘッドを保護するとともに原稿の汚れを防止することが課題である。
【００１８】
本発明は、以上の点に着目して成されたもので、ＢＪプリンタ用オンキャリッジスキャナ使用時のヘッド擦れ防止する記録装置を提供することを目的とする。
【００１９】
【課題を解決するための手段】
以上に述べた課題を解決するため、本発明では、記録ヘッドの紙間調整レバーによって紙間ポジションを広く設定したときにスキャナに適した紙間になるような配置で取り付けることにした。
【００２０】
すなわち、本発明の技術内容は以下の構成を備えることにより前記課題を解決できた。
【００２１】
（１）記録媒体にインクを吐出することにより該記録媒体上に画像を形成して記録を行う記録手段を有し、該記録手段と一体に支持され、原稿上の画像を読み取る読み取り手段を有し、前記記録媒体または前記原稿を搬送する搬送手段を有する記録装置において、記録手段と記録媒体との間隔を変化させて２種類の間隔を選択可能な紙間調整機構を有し、該紙間調整機構によって選択可能な最小の間隔である第一の間隔と、第一の間隔より大きな第二の間隔のうち、第二の間隔を選択したときに、読み取り手段と原稿との間隔が、適切な読み取り間隔の範囲内となるよう配置したことを特徴とする記録装置。
【００２２】
（２）記録媒体にインクを吐出することにより該記録媒体上に画像を形成して記録を行う記録手段を有し、該記録手段と一体に支持され、原稿上の画像を読み取る読み取り手段を有し、前記記録媒体または前記原稿を搬送する搬送手段を有する記録装置において、記録手段と記録媒体との間隔を変化させて少なくとも２種類の間隔を選択可能な紙間調整機構を有し、該紙間調整機構によって選択可能な最小の間隔である第一の間隔と、第一の間隔より大きな第二もしくはそれ以降の間隔のうち、第二もしくはそれ以降の間隔を選択したときに、読み取り手段と原稿との間隔が、適切な読み取り間隔の範囲内となるよう配置したことを特徴とする記録装置。
【００２３】
（３）前記記録手段は、前記第一の間隔の時、インク吐出面が前記記録媒体に平行であり、前記読み取り手段の焦点面が前記第二の間隔の時に前記原稿面に略平行となるよう配置したことを特徴とする、前記（１）記載の記録装置。
【００２４】
（４）前記記録手段は、前記第一の間隔の時、インク吐出面が前記記録媒体に平行であり、前記読み取り手段の焦点面が前記第二、もしくはそれ以降の間隔の時に前記原稿面に略平行となるよう配置したことを特徴とする、前記（２）記載の記録装置。
【００２５】
（５）前記記録手段は、熱エネルギーを利用してインクを吐出するインクジェット記録手段であることを特徴とする、前記（１）ないし（４）いずれか記載の記録装置。
【００２６】
【発明の実施の形態】
図１は本発明を実施した形態の第一の例である。
【００２７】
キャリッジ部以外の構成は従来とほぼ同じであるので、キャリッジ部以外の説明は詳しくは行わない。
【００２８】
キャリッジ５は図３に示すように記録ヘッド取り付け部５４、スキャナ取り付け部５５、キャリッジ支持部、紙間調整部などから構成されている。
【００２９】
キャリッジ支持部はガイドシャフト５２およびガイドレール５３によって支持されており、往復運動が可能になっている。
【００３０】
紙間調整部は、前記ガイドレール５３に摺接する紙間調整レバー５１を有し、紙間調整レバー５１の位置によってキャリッジ部全体がガイドシャフト５２を中心としてわずかに回動可能である。この回動による記録ヘッド先端の移動によって紙間を変化させる構成であり、通常は図１（Ａ）のように紙間を狭くした状態（紙間Ｈ１）で記録動作を行うが、記録媒体として厚紙を用いる場合など、記録媒体と記録ヘッド６が接触するおそれがある場合には、紙間調整レバー５１の操作により図１（Ｂ）のように紙間を広くした状態（紙間Ｈ２）で記録を行う。
【００３１】
このとき、上述のように回動運動によって紙間を変化させているので、記録ヘッド６のインク吐出面は記録媒体の表面に平行ではなくなり傾斜しているが、記録の性能に影響を及ぼさない許容範囲内に収めてある。ここでは、最も記録媒体に接近している箇所の距離を紙間の値と見なすことにする。
【００３２】
キャリッジ５上には記録ヘッドとともにスキャナ７も搭載されているので、紙間調整操作を行うと、同時にスキャナ７と原稿の距離（紙間Ｓ）も変化する。この紙間Ｓはスキャナの読み取りセンサの焦点が原稿の面にほぼ一致することが望ましく、従来は紙間Ｈ１の時に紙間Ｓが最適となるように配置されていたが、本発明では、図１（Ｂ）の紙間Ｈ２の状態、もしくは図１（Ｃ）のようにさらに広い紙間Ｈ３の状態で、同時に紙間Ｓが最適となるよう配置することが特徴である。
【００３３】
このような配置にすることで記録ヘッド６の紙間Ｈとスキャナ７の紙間Ｓの大きさの差を従来より小さくする事ができるので、スキャナ使用時に記録ヘッドと原稿とが接触する可能性を減少させることができる。望ましくは、紙間Ｈ２（または、あれば紙間Ｈ３）が紙間Ｓと等しくなるようにすると、記録ヘッド使用時およびスキャナ使用時のいずれにも不利になることなく適切な紙間を選択できるようになる。
【００３４】
本発明を実施した形態の第二の例を図２に示す。
【００３５】
上記第一の例の説明に用いた紙間調整機構のように、回動によって紙間を調整する場合、紙間Ｈ１を選択した場合には記録ヘッド６先端部と記録媒体とが平行になっているが、その他の紙間を選択した場合、記録ヘッド先端と記録媒体とが平行にはならない。これと同じことがスキャナ７先端部と原稿とにも言えるので、センサの焦点面は原稿面に対して平行でなく、実用に支障ない範囲で傾斜している。
【００３６】
この範囲は被写界深度などによって決まるが、焦点面が傾斜している分、この範囲内での余裕が少なくなり、部品精度、組立精度などを高くすることが要求される。そこで、紙間を広げた時に焦点面が原稿面とほぼ一致するよう、あらかじめ所定の角度で傾けてセンサを配置すると、よりゆるい精度でも必要な性能が得られコストなどの点でさらに望ましい。
【００３７】
以上のことから、図２に示すようにセンサ光軸がスキャナ先端部に対して垂直になっている形態のスキャナでも、所定の角度傾けてスキャナ７を配置することでより望ましい形態となる。
【００３８】
本実施例ではスキャナの外形ごと傾けた形態になっているが、スキャナ７の内部であらかじめセンサを傾斜させて置くことによっても同様の効果が得られることはもちろんである。また、焦点距離が異なるセンサを適切に配置することによって焦点面が原稿面に一致するような構成でも、同様の効果が得られる。
【００３９】
【発明の効果】
本発明によれば、記録ヘッドとスキャナを同時にキャリッジ上に取り付けることが可能な構成の記録装置において、読み取り原稿が記録ヘッドに接触する可能性を減少させることができる。したがって、記録ヘッドの破損、原稿の汚染などの問題の発生を減少させることができる。
【図面の簡単な説明】
【図１】本発明を実施した形態の第一の実施例を示す側断面模式図
【図２】本発明を実施した形態の第二の実施例を示す側断面模式図
【図３】キャリッジ部の構成を説明するための一部斜視図
【図４】従来の形態の例を示す斜視図
【図５】従来の形態の例を示す側断面模式図
【符号の説明】
１　記録装置
２　給紙部
３　送紙部
４　排紙部
５　キャリッジ部
６　記録ヘッド
７　スキャナ
２１　給紙ローラ
３１　送紙ローラ
３２　ピンチローラ
３３　プラテン
５１　紙間調整レバー
５２　ガイドシャフト
５３　ガイドレール
【図１】
2004142193.tif 000003
【図２】
2004142193.tif 000004
【図３】
2004142193.tif 000005
【図４】
2004142193.tif 000006
【図５】
2004142193.tif 000007